(57)【特許請求の範囲】
【請求項１】
支持ヘッド３にビデオ機器又は撮影機器（２）を取りつけるためのシステムであって、
前記ビデオ機器又は撮影機器の下側部に装着され得る取り付けプレート（４）と、
前記支持ヘッドのボディ（２１）に形成され、前記プレートが長軸（Ｘ）に沿って摺動するように前記プレートを収容し得る座部（２０）と、
前記支持ヘッド（３）に設けられ、前記プレートが前記座部内に保持されているフック（３０）であって、前記座部が閉じている第１の位置と、長軸（Ｘ）にほぼ垂直な挿入軸（Ｚ）に沿って、前記プレートが前記座部に対して出入り可能であり、前記座部が開いている第２の位置との間で回動するように配置されているフック（３０）と、
前記長軸の所望の位置で、前記座部内に前記プレートをロックするためのロック手段と、を具備する取り付けシステムにおいて、
前記ロック手段は、前記フック（３０）に対して移動可能に、前記フック（３０）に装着されているピン（３５）であって、前記プレート（４）に対して前記第１の位置に前記フックを付勢するために前記ボディ（２１）に当接するように適合したピン（３５）を有し、また、前記ピン（３５）は、前記フックから突き出ており、前記第１の位置から前記第２の位置へ前記フックを回動するように動作可能である操作付属物（３６）を有し、
前記フック（３０）は、前記長軸にほぼ平行である枢支軸（Ｙ）を中心として回動するように前記ボディ（２１）に枢支されており、また、前記座部（２０）中に前記プレートが収容されているとき、前記プレートに当接する爪（３２）を有しており、
支持面（３３）が、前記爪に形成されており、この支持面は、前記フックが前記第１の位置へ回動されたときに、前記座部（２０）のベース（２２）に向かって傾斜しており、その結果、前記挿入軸に沿った前記座部中へのプレートの挿入により、前記フックは、前記第１の位置から第２の位置に回動され、前記フック（３０）は、前記第１の位置に弾性的に付勢されていることを特徴とする取り付けシステム。
【請求項２】
前記ピン（３５）は、ねじにより前記フック内に係合されている、請求項１に記載の取り付けシステム。
【請求項３】
前記ピン（３５）は、前記爪（３２）とは反対側の前記枢支軸（Ｙ）の側で前記フックに装着されている、請求項１又は２に記載の取り付けシステム。
【請求項４】
前記座部（２０）は、前記長軸（Ｘ）にほぼ平行である第１及び第２の側方のガイド（２３、２４）の間に囲まれた面で、前記プレートを支持するための上面を形成するためのベース（２２）を有し、前記フック（３０）は、第１の側方のガイド（２３）の領域内で枢支されている、請求項１乃至３のいずれか１項に記載の取り付けシステム。
【請求項５】
移動制限要素（２５）が、前記座部（２０）の内側で前記長軸に沿って前記プレート（４）の摺動を規制するように、前記ベース（２２）上に設けられている、請求項１乃至４のいずれか１項に記載の取り付けシステム。
【請求項６】
取り付けプレート（４）が長軸に沿って摺動し得るように、ビデオ機器／撮影機器の器具のための前記プレートを収納するための座部（２０）が形成されているボディ（２１）と、
前記座部内に前記プレートを保持するように前記座部中にフック（３０）が突出する第１の位置と、前記プレートが前記長軸にほぼ垂直な挿入軸（Ｚ）に沿って前記座部を出入り可能であるように、前記フック（３０）が前記座部の外側にある第２の位置との間で回動するように配置され、支持ヘッド（３）に設けられている前記フック（３０）と、
前記長軸に沿った所望の位置で前記座部内に前記プレートをロックするためのロック手段と、を備える支持ヘッド（３）において、
前記ロック手段は、前記フックに対して移動可能に、前記フックに装着されているピン（３５）であって、前記プレートに対して前記第１の位置に前記フックを付勢させるために前記ボディ（２１）に支持されるように適合したピン（３５）を有し、また、前記ピン（３５）は、前記フックから突き出ており、前記第１の位置から前記第２の位置へ前記フックを回動するように動作可能である操作付属物（３６）を有し、
前記フック（３０）は、前記長軸にほぼ平行である枢支軸（Ｙ）を中心として回動するように前記ボディ（２１）に枢支されており、また、前記座部（２０）中に前記プレートが収容されているとき、前記プレートに当接する爪（３２）を有しており、
支持面（３３）が、前記爪に形成されており、この支持面は、前記フックが前記第１の位置へ回動されたときに、前記座部（２０）のベース（２２）に向かって傾斜しており、その結果、前記挿入軸に沿った前記座部中へのプレートの挿入により、前記フックは、前記第１の位置から第２の位置に回動され、前記フック（３０）は、前記第１の位置に弾性的に付勢されていることを特徴とする支持ヘッド（３）。
【発明の詳細な説明】
【技術分野】
【０００１】
本発明は、筆頭請求項の前文中に記載された特徴を具備する、支持ヘッドにビデオ機器／撮影機器を取り付けるためのシステムに関する。
【背景技術】
【０００２】
本発明の技術分野において、支持ヘッドにビデオ機器／撮影機器の器具を取り付けるために広く用いられているシステムが知られている。
【０００３】
既知の取り付けシステムは、一般的に、機器の下側部に装着されるプレートと、前記プレートが長軸に沿って摺動するように前記プレートを収容し得、前記支持ヘッドに形成された座部とを有する。この特徴は、前記ヘッドに機器が正しくバランスするように、取り付けヘッドに対する機器の位置を適切に調整することを可能にする。既知の取り付けシステムは、前記支持ヘッドに設けられたロック手段をも有しており、このロック手段は、前記座部内の所望の位置で機器をロックし得る。
【０００４】
前記支持ヘッドに形成された前記座部は、代表的には、傾いた壁体を備えた１対の側方のガイド間で囲まれている支持面を有するあり継ぎの外形を有し、前記支持プレートは、前記座部の支持面に平行な移動で、接線方向から座部に挿入される。
【０００５】
しかしながら、この操作は、前記挿入が、前記プレートと前記座部との間での比較的正確なアラインメントの状態を必要とするので難しいことが分かるだろう。また、前記プレートは、機器の下側部に位置しているので、一般的に、視界から隠される。
【発明の概要】
【０００６】
本発明の根本的な課題は、引用された先行技術を参照して上述された、制限を克服した支持ヘッドにビデオ機器／撮影機器を取り付けるためのシステムを提供することである。
【０００７】
この課題の範囲において、本発明の１つの目的は、信頼でき、容易に製造し得、限られた費用で生産され得る取り付けシステムを開発することである。
【０００８】
添付の請求項に従って形成された取り付けシステムの手段に従った本発明により、この課題は解決され、この目的は達成される。
【図面の簡単な説明】
【０００９】
【図１】図１は、本発明に従って構成され、支持ヘッドにビデオ機器／撮影機器の器具を取り付けるためのシステムの上方からの斜視図である。
【図２】図２は、図１の取り付けシステムのII-II線に沿った断面図である。
【図３】図３は、幾つかの部品を除いた図１の取り付けシステムの側方からの斜視図である。
【図４】図４は、一動作状態における図１の取り付けシステムの背面図である。
【図５】図５は、一動作状態における図１の取り付けシステムの背面図である。
【図６】図６は、一動作状態における図１の取り付けシステムの背面図である。
【発明を実施するための形態】
【００１０】
本発明の特徴及び効果は、添付図面を参照し、情報のために限定しないで示された実施形態の好ましい例の以下の詳細な説明により比較的明らかにされるであろう。
【００１１】
添付した図面中で、符号１は、ビデオ機器／撮影機器２の器具を取り付けるためのシステムの全体を示す。この機器は、図４乃至図６に、破線で単に示されている。
【００１２】
取り付けシステム１は、取り付けプレート４を有する。この取り付けプレート４は、機器２の下側部に取り外し可能に装着され得る。また、取り付けシステム１は、ほぼ矩形でかつほぼ平らな形状の中心体５を有する。この中心体５は、長軸Ｘに沿って主に延びている。この中心体５は、符号６，７で示された第１の側面及び第２の側面により長手方向に範囲が定められている。第１の側面６と第２の側面７とは、上面８の対向した両側で延びている。上面８は、機器２が位置する中心体５上に形成されている。
【００１３】
前記第１の側面６は、低い位置で、中心体５から離れる方向に、上面８とほぼ平行に延びているフランジ９を有する棚のような外形を有する。フランジ９の自由端部は、中心体５から離れており、フランジ９の他の部分よりわずかに厚くなっている。
【００１４】
前記第２の側面７は、上面８からそれる傾斜面の形態の外形を有する。
【００１５】
前記プレート４の中心体５は、また、対向した両縁１１により長手方向が規制されている。また、これら縁１１は、上面８とは対向する側で曲げられている。
【００１６】
取り付けプレート４の中心体５の中央領域に、また、中で接続ピン１３が摺動可能に係合されている長い溝１２が形成されている。合致する座部に併せて連動するこのピンは、機器２の低い部分に備えられる。このピンは、この分野での既知の技術に従い、前記機器２の下側部に設けられた対応する座部と係合可能である。
【００１７】
システム１は、さらに、支持ヘッド３のボディ２１の頂上に形成された座部２０を有している。プレート４が長軸Ｘに沿って摺動できるように、座部２０は、前記プレートを収容し、係合し得る。
【００１８】
この目的のために、座部２０は、ベース２２を有する。このベース２２は、前記プレート４を支持するための面を形成している。また、このベースは、前記長軸Ｘにほぼ平行な第１並びに第２の側方のガイド２３、２４の間に囲まれている。このベースは、対向する長手方向の両端で開口している。
【００１９】
座部２０の長手方向の前記両端からプレート４が離れないように、適切な移動制限要素が設けられている。この移動制限要素は、例えば、ベース２２から立ち上がり、前記プレートの長手方向の縁１１を押すことができる突起部２５を有している。プレート４がヘッド３に連結されているとき、これらの突起部は、従って、視界から隠されていることは特筆すべきである。
【００２０】
プレート４の第２の側面７の形状に合うように、第２の側方のガイド２４は、ベース２２に対して傾斜されており、かつ、座部２０の中央面の方に収束する外形を有する。
【００２１】
第１の側方のガイド２３には、フック３０が設けられている。このフックは、前記ボディ２１に枢支されて、長軸Ｘにほぼ平行な枢支軸Ｙを中心として第１の位置と第２の位置との間で回動可能である。前記第１の位置では、座部が閉じて、前記プレート４が前記座部２０内に保持される。また、前記第２の位置では、座部２０が開いて、プレート４が、長軸Ｘ及びベース２２に対してほぼ垂直な挿入軸Ｚに沿った座部２０に対して出入り可能となる。
【００２２】
前記フック３０は、ばね３１により前述の第１の位置へ弾性的に付勢されている。ばね３１は、第１の側方のガイド２３に関係づけられた一端部に、プレート４の第１の側面６のフランジ９を支持し得る爪３２を有する。
【００２３】
特に、フック３０が第１の位置に回動されたとき、前記爪３２は、ベース２２からフランジ９の反対側の側面に位置される。フック３０は、プレート４が挿入軸Ｚに沿って離れないように第２の側方のガイド２４と組み合わせられて動作する。
【００２４】
支持面３３は、このフックが第１の位置に回動されたときに、挿入軸Ｚに沿う座部２０中へのプレート４の挿入が、最初にプレート４の第１の側面６が前記支持面３３に接触して、第１の位置から第２の位置へ回動し、座部２０中へのプレート４の挿入を完了させるように、ベース２２の方へ傾斜されて、有効的に爪３２に形成されている。
【００２５】
また、前記長軸上の所望の位置で、座部２０内にプレート４をロックするように設計されたロック手段がヘッド３に設けられている。これらのロック手段は、フックに対して移動可能に、フック３０に設けられたピン３５を有する。このピンは、プレート４に対して、前述の第１の位置でフック３０に作用するために、ピン３５は、ボディ２１に当接し得る。
【００２６】
爪３２から見て枢支軸Ｙの反対側にねじを貫いて装着することによりピン３５が装着されている。そして、ピン３５は、ヘッド３の外に突き出している操作付属物３６と、ボディ２１の方へフック３０から反対側に突き出しているヘッド３７とを有する。
【００２７】
したがって、ピン３５がフック３０にねじ込まれたとき、ヘッド３７はボディ２１の方に導かれる。かくして、フック３０の回動の大きさの制限が徐々に、第１の位置から完全に回動しないポイントまで開始する。加えて、ピン３５が完全にねじ込まれたとき、前記フックは、プレート４の第１の側面６に対してさらに回動する。かくして、前記フックは、座部２０のベース２２に対してロックしている。同時にまた、長軸Ｘに沿って前記プレートの動きが妨げられている。
【００２８】
取り付けシステム１の操作は、図４乃至図６に明示されている。プレート４が下側部に装着されている機器２は、挿入軸Ｚに沿って、最初に、座部２０の中にプレート４の第２の側面７を挿入し、そして、ベース２２の方に押すことにより、上方からヘッド３にフックされる（図４）。また、そのとき、この作用は、爪３２の支持面３３に、プレート４の第１の側面６に当接させ、結果的に、フック３０を第１の位置から第２の位置へ回動させる（図５）。一般的に、フック３０は、また、操作付属物３６に直接作用することにより、第１の位置から第２の位置へ容易に回動し得ることは特筆すべきである。
【００２９】
この形態において、フック３０は、座部２０の外側にあり、プレート４の通路を干渉しない。その結果、プレート４は、ベース２２に支持されながら、座部２０に充分に入る。ばね３１の作用により、座部２０がプレート４から出ないように、フック３０は、第１の位置に戻る（図６）。
【００３０】
この形態において、機器２は、システムが正しくバランスされる位置にもたらされるように、長軸Ｘに沿って容易に移動され得る。
【００３１】
この位置で、ヘッド３７がボディ２１を支持するまで、ピン３５はねじ込まれる。また、爪３２がフランジ９に対してさらに回動され、この位置でプレート４をロックする。
【００３２】
前記プレート４は、プレート４が座部２０から都合よく抜き取られ得るように、プレート４は、適切な程度までピン３５をねじ戻しさせることにより、そして、第１の位置から第２の位置へフック３０を回動させるために操作付属物３６を作用することによって、座部２０から外れる。
【００３３】
このように、本発明は、上に概略を述べた課題を解決する。一方、本発明は、非常に多くの他の利点を有している。この利点は、要素の数が製品に対して必要とする事実を含む。前記システムは、また、ユーザにより迅速に、また、容易に操作され得る。
【００３４】
さらなる効果は、ロックする前記ピンが、前記フックを直接的に装着するので、比較的小型な支持ヘッドが製造され得、したがって、製品の全体の寸法が小さくなる。前記システムも、ユーザにより、とても迅速に、また、とても簡単に操作され得る。
【００３５】
その上、上述された特徴のために、ビデオ機器／撮影機器をフックする操作又はフックしない操作は、片手のみで行われ得、一方で、他方の手は、この機器を保持し、このように、この機器は、操作を容易にし、かつ、安全に利用する。
以下に本願出願の当初の特許請求の範囲に記載された発明を付記する。
［１］
支持ヘッド３にビデオ機器／撮影機器（２）を取りつけるためのシステムであって、
前記システムは、前記機器の下側部に装着され得る取り付けプレート（４）と、前記ヘッドのボディ（２１）に形成され、前記プレートが長軸（Ｘ）に沿って摺動するように前記プレートを収容し得る座部（２０）と、前記ヘッド（３）に設けられ、前記プレートが前記座部内に保持され、前記座部が閉じている第１の位置と、長軸（Ｘ）にほぼ垂直な挿入軸（Ｚ）に沿って、前記プレートが前記座部に対して出入り可能であり、前記座部が開いている第２の位置との間で回動するように配置されているフック（３０）と、
前記長軸の所望の位置で、前記座部内に前記プレートをロックするためのロック手段とを具備するシステムにおいて、
前記ロック手段は、前記フック（３０）に対して移動可能に、前記フック（３０）に装着されており、また、前記プレート（４）に対して前記第１の位置に前記フックを付勢するために前記ボディ（２１）に当接するピン（３５）を有し、また、前記ピン（３５）は、前記フックから突き出ており、前記第１の位置から前記第２の位置へ前記フックを回動するように動作可能である操作付属物（３６）を有することを特徴とする取り付けシステム。
［２］
前記フック（３０）は、前記長軸にほぼ平行である回動軸（Ｙ）を中心として回動するように前記ボディ（２１）に枢支されており、また、前記座部（２０）中に前記プレートが収容されているとき、前記プレートに当接する爪（３２）を有している［１］に係る取り付けシステム。
［３］
支持面（３３）が、前記爪に形成されており、この支持面は、前記フックが前記第１の位置へ回動されたときに、前記座部（２０）のベース（２２）に向かって傾斜され、その結果、前記挿入軸に沿った前記座部中へのプレートの挿入により、前記フックは、前記第１の位置から第２の位置に回動される［２］に係る取り付けシステム。
［４］
前記フック（３０）は、前記第１の位置に弾性的に付勢されている［１］乃至［３］のいずれか１項に係る取り付けシステム。
［５］
前記ピン（３５）は、ねじにより前記フック内に係合されている［１］乃至［４］のいずれか１項に係る取り付けシステム。
［６］
前記ピン（３５）は、前記爪（３２）とは反対側の前記枢支軸（Ｙ）の側で前記フックに装着されている［２］乃至［５］のいずれか１項に係る取り付けシステム。
［７］
前記座部（２０）は、前記長軸（Ｘ）にほぼ平行である第１及び第２の側方のガイド（２３、２４）の間に囲まれた面で、前記プレートを支持するための上面を形成するためのベース（２２）を有し、前記フック（３０）は、第１の側方のガイド（２３）の領域内で枢支されている［１］乃至［６］のいずれか１項に係る取り付けシステム。
［８］
移動制限要素（２５）が、前記座部（２０）の内側で前記長軸に沿って前記プレート（４）の摺動を規制するように、前記ベース（２２）上に設けられている［１］乃至［７］のいずれか１項に係る取り付けシステム。
［９］
取り付けプレート（４）が長軸に沿って摺動し得るように、ビデオ機器／撮影機器の器具のための前記プレートを収納するための座部（２０）が形成されているボディ（２１）と、
前記座部内に前記プレートを保持するように前記座部中にフック（３０）が突出する第１の位置と、前記プレートが前記長軸にほぼ垂直な挿入軸（Ｚ）に沿って前記座部を出入り可能であるように、前記フック（３０）が前記座部の外側にある第２の位置との間で回動するように配置され、支持ヘッド（３）に設けられている前記フック（３０）と、前記長軸に沿った所望の位置で前記座部内に前記プレートをロックするためのロック手段とを備え、
前記ロック手段は、フックに対して移動可能に、前記フックに装着されており、かつ、前記プレートに対して前記第１の位置に前記フックを付勢させるために前記ボディ（２１）を支持するよう適合したピン（３５）を有することを特徴とする前記支持ヘッド（３）。
【図１】
0006336917.tif 000002
【図２】
0006336917.tif 000003
【図３】
0006336917.tif 000004
【図４】
0006336917.tif 000005
【図５】
0006336917.tif 000006
【図６】
0006336917.tif 000007